(57)【要約】【課題】  精度の高いサーボ制御を行うことのできるサーボ制御装置を提供する。【解決手段】  減算器３は、目標信号r(t)から観測信号y(t)を減算し、（r(t)−y(t)）からなる取れ残りエラー信号e(t)を出力し、補助制御器４に供給する。補助制御器４は、適応線スペクトル強調器、又は適応線形予測器を用いて、取れ残りエラー信号から非回転同期成分を低減した回転同期信号からなる抽出信号を得て、この抽出信号を主制御器５と並行に、制御対象７に供給する。【選択図】  図１
2006313588.tif 000002
【特許請求の範囲】
【請求項１】
外乱が加えられた制御対象の観測信号から外乱信号を低減した観測信号を生成し、この観測信号に基づいて制御対象のサーボ機構を制御するサーボ制御装置において、
目標信号と上記観測信号とから取れ残りエラー信号を求める取れ残りエラー信号算出部と、
上記取れ残りエラー信号算出部によって求められた取れ残りエラー信号に基づいて上記制御対象を主に制御する主制御部と、
上記取れ残りエラー信号算出部によって求められた取れ残りエラー信号から適応フィルタ部により回転同期成分を抽出し、上記主制御部と並行に、上記制御対象に印加する補助制御部と
を備えることを特徴とするサーボ制御装置。
【請求項２】
上記適応フィルタ部は、上記取れ残りエラー信号算出部によって求められた取れ残りエラー信号に対して適応線スペクトル強調処理、又は適応線形予測処理を施すことを特徴とする請求項１記載のサーボ制御装置。
【請求項３】
上記補助制御部は、遅延次数mの遅延器と、遅延次数mに基づいて適応線スペクトル強調器、又は適応線形予測器として動作する適応フィルタとを備えてなることを特徴とする請求項１記載のサーボ制御装置。
【請求項４】
上記適応フィルタは、上記取れ残りエラー信号と、上記遅延次数mの遅延器で遅延されて上記適応フィルタでフィルタリングされたフィルタリング出力との差信号に基づいて適応的に乗算係数を決定することを特徴とする請求項３記載のサーボ制御装置。
【請求項５】
上記適応フィルタは、ＦＩＲフィルタであることを特徴とする請求項３記載のサーボ制御装置。
【請求項６】
上記適応フィルタは、ＩＩＲフィルタであることを特徴とする請求項３記載のサーボ制御装置。
【請求項７】
上記補助制御部は、上記取れ残りエラー信号が定常状態となってから回転同期成分を抽出することを特徴とする請求項１記載のサーボ制御装置。
【請求項８】
外乱が加えられた制御対象の観測信号から外乱信号を低減した観測信号を生成し、この観測信号に基づいて制御対象のサーボ機構を制御するサーボ制御方法において、
目標信号と上記観測信号とから取れ残りエラー信号を求める取れ残りエラー信号算出工程と、
上記取れ残りエラー信号算出工程によって求められた取れ残りエラー信号に基づいて上記制御対象を主に制御する主制御工程と、
上記取れ残りエラー信号算出工程によって求められた取れ残りエラー信号から適応フィルタ処理によって回転同期成分を抽出し、上記主制御工程と並行に、上記制御対象に印加する補助制御工程と
を備えることを特徴とするサーボ制御方法。
【請求項９】
着脱自在なディスク状光記録媒体を装着する装着部と、
上記装着部に装着したディスク状記録媒体を所定の回転数で回転させる回転駆動部と、
所定のレンズを二軸駆動機構によって二軸方向に駆動しながら、上記回転駆動部によって回転される上記ディスク状記録媒体の情報記録面に光ビームを出射して情報信号を記録するか、又は上記情報記録面からの戻り光に応じた信号を出力して情報信号を再生する光学ヘッド部と、
上記光学ヘッド部の所定のレンズの二軸駆動機構に加えられた外乱を観測信号から低減し、この観測信号に基づいて上記二軸駆動機構のサーボ機構を制御するサーボ制御部とを備え、
上記サーボ制御部は、目標信号と上記観測信号とから取れ残りエラー信号を求める取れ残りエラー信号算出部と、上記取れ残りエラー信号算出部によって求められた取れ残りエラー信号に基づいて上記制御対象を主に制御する主制御部と、上記取れ残りエラー信号算出部によって求められた取れ残りエラー信号から適応フィルタ部を用いて回転同期成分を抽出し、上記主制御部と並行に、上記制御対象に印加する補助制御部を有することを特徴とする光ディスク記録又は再生装置。
【請求項１０】
上記サーボ制御部は、上記光学ヘッド部の所定のレンズの二軸駆動機構に加えられた面ぶれの成分を観測信号から低減し、この観測信号に基づいて上記二軸駆動機構のフォーカスサーボを行うことを特徴とする請求項９記載の光ディスク記録又は再生装置。
【請求項１１】
上記サーボ制御部は、上記光学ヘッド部の所定のレンズの二軸駆動機構に加えられた偏芯成分を観測信号から低減し、この観測信号に基づいて上記二軸駆動機構のトラッキングサーボを行うことを特徴とする請求項９記載の光ディスク記録又は再生装置。
【発明の詳細な説明】
【技術分野】
【０００１】
本発明は、例えば光ディスク、光磁気ディスク等のディスク状光記録媒体に情報を記録する光ディスク記録装置や、ディスク状光記録媒体に記録されている情報を再生する光ディスク再生装置に使用される、光学ヘッドの二軸アクチュエータのフォーカスサーボ機構、トラッキングサーボ機構、又はニアフィールドにおいて用いられる光学ヘッドの二軸アクチュエータのギャップサーボ機構に好適なサーボ制御装置及びサーボ制御方法に関する。また、本発明に係るサーボ制御装置及びサーボ制御方法を光学ヘッドの二軸アクチュエータのフォーカスサーボ機構、トラッキングサーボ機構、又はニアフィールドにおいて用いられる光学ヘッドの二軸アクチュエータのギャップサーボ機構に適用する光ディスク記録又は再生装置に関する。
【背景技術】
【０００２】
従来、記録媒体のうち、記録及び／又は再生装置に着脱自在とされた光ディスクは、記録及び／又は再生装置に装着されたとき、ディスクの中心部をディスク回転駆動機構を構成するターンテーブルにクランプされることでターンテーブルと一体に回転可能となる。このよに、中心部をターンテーブルにクランプされて回転する光ディスクは、回転駆動されるとき、クランプされた中心部を支点にして上下に揺れながら回転するいわゆる面ぶれを生じやすい。
【０００３】
記録及び／又は再生装置に装着され、ディスク回転駆動機構によって回転駆動される光ディスクに面ぶれが生じると、情報の記録又は再生時に、主にフォーカスエラーを生じやすくなる。
【０００４】
したがって、記録及び／又は再生装置に着脱自在とされた光ディスクは、ターンテーブルにクランプされるとき、傾きを生じさせることなくターンテーブルに水平に載置することが望ましいが、正確にターンテーブルに対し水平に装着してクランプすることが困難である。
【０００５】
このような実情から、着脱自在とされた光ディスクを記録媒体に用いる記録及び／又は再生装置では、ディスク回転駆動機構に装着して回転駆動されるときにある程度の面ぶれが発生することを想定し、光ディスクの回転駆動時に発生する面ぶれに対して記録及び／又は再生装置側のフォーカスサーボ機構によって対処するようにしている。例えば、ＤＶＤ（Digital Versatile Disc）などでは、回転平面に対し上下に±３００μｍの面ぶれが発生しても、記録及び／又は再生装置側のフォーカスサーボ機構によりフォーカスエラーを生じさせないように対策が施されている。
【０００６】
最近、光ディスクのような光記録媒体に、光ビームを照射することで所定の情報を記録又は再生する装置において、エバネセント光を利用することで、光の回折限界を超えて高密度な記録再生を可能とする技術が提案されている。
【０００７】
エバネセント光を利用して光記録媒体に情報の記録を行い、光記録媒体に記録された情報の再生を行う技術として、エバネセント光発生用レンズにＳＩＬ（Solid Immersion Lens）を用いたものがある。
【０００８】
エバネセント光を用いて光記録媒体に情報の記録又は再生を行うには、光記録媒体に照射される光ビームを集光する光学系として、ＳＩＬと非球面レンズとを組み合わせた２群レンズとして開口数ＮＡを１以上としたものを用い、光学系の光出射面と光記録媒体の情報記録面との間隔を、ＳＩＬに入射する光ビームの波長の半分以下にする必要がある。例えば、上記間隔は、光ビームの波長λが４００ｎｍであったならば、２００ｎｍ以下とされる。
【０００９】
良好な記録又は再生を行うためには、集光光学系の光出射面と光記録媒体の情報記録面との間隔を一定に保つ必要がある。そこで、ＳＩＬを搭載した光ヘッドにおいては、光記録媒体からの戻り光量の違いをエラー信号として利用し、このエラー信号に応じて光ヘッドのアクチュエータを駆動制御することにより、集光光学系の光記録媒体に対する位置を制御するようにした技術が下記特許文献１において提案されている。
【００１０】
上述したように、エバネセント光を利用して良好な記録再生を実現するには、ナノオーダの非常に短い間隔で集光光学系の光出射面と光記録媒体の情報記録面との位置を制御しながら光ヘッドを記録媒体の情報記録面に追従させる必要がある。
【００１１】
また、ディスク状光記録媒体自身にも偏芯がある。この偏芯が原因で、光ヘッドのアクチュエータはトラックにビームスポットを正確に追従するのを妨げられるので、トラッキングサーボ機構によるトラッキングサーボ制御が必要になる。
【００１２】
従来、トラッキングサーボ制御装置で行われるトラッキングサーボ制御や、フォーカスサーボ制御装置で行われるフォーカスサーボ制御では、上記面ぶれや偏芯による外乱の影響を受けたトラッキングエラー信号やフォーカスエラー信号を検出し、これらのサーボエラー信号から上記外乱の影響を排除したサーボエラー信号を取り出し、これらサーボエラー信号を０にするように、トラッキングサーボ機構、フォーカスサーボ機構を制御していた。
【００１３】
【特許文献１】特開２００１−７６３５８号公報
【発明の開示】
【発明が解決しようとする課題】
【００１４】
ところで、上記トラッキングサーボ機構、フォーカスサーボ機構では、どうしてもサーボの取れ残りが発生してしまう。
【００１５】
そこで、取れ残りエラーの低域成分をフィードバックすることで、低域ゲインを大きくし、サーボの取れ残り量を改善することが考えられた。しかしながら、低域変動を抽出するためのフィルタの乗算係数などの設定は、試行錯誤で人為的に決定していた。このため、設計に時間がかかるだけでなく、フィルタ性能は、設計者に依存し、サーボ品質が一定でなかった。
【００１６】
このような状況を鑑みて、本発明は、上記フィルタをサーボエラー信号から適応的に自動設定することのできるサーボ制御装置及びサーボ制御方法の提供を目的とする。また、本発明は、精度の高いサーボ制御を行うことのできるサーボ制御装置及びサーボ制御方法の提供を目的とする。
【００１７】
さらに、本発明は、サーボ品質が一定であるサーボ制御を行うことができる光ディスク記録又は再生装置の提供を目的とする。
【課題を解決するための手段】
【００１８】
本発明に係るサーボ制御装置は、上記実情に鑑みてなされたものであり、外乱が加えられた制御対象の観測信号から外乱信号を低減した観測信号を生成し、この観測信号に基づいて制御対象のサーボ機構を制御するサーボ制御装置において、目標信号と上記観測信号とから取れ残りエラー信号を求める取れ残りエラー信号算出部と、上記取れ残りエラー信号算出部によって求められた取れ残りエラー信号に基づいて上記制御対象を主に制御する主制御部と、上記取れ残りエラー信号算出部によって求められた取れ残りエラー信号から適応フィルタ部により回転同期成分を抽出し、上記主制御部と並行に、上記制御対象に印加する補助制御部とを備える。
【００１９】
このサーボ制御装置によれば、補助制御部が、取れ残りエラー信号算出部によって求められた取れ残りエラー信号から適応フィルタ部により回転同期成分を抽出する。
【００２０】
本発明に係るサーボ制御方法は、上記実情に鑑みてなされたものであり、外乱が加えられた制御対象の観測信号から外乱信号を低減した観測信号を生成し、この観測信号に基づいて制御対象のサーボ機構を制御するサーボ制御方法において、目標信号と上記観測信号とから取れ残りエラー信号を求める取れ残りエラー信号算出工程と、上記取れ残りエラー信号算出工程によって求められた取れ残りエラー信号に基づいて上記制御対象を主に制御する主制御工程と、上記取れ残りエラー信号算出工程によって求められた取れ残りエラー信号から適応フィルタ処理によって回転同期成分を抽出し、上記主制御工程と並行に、上記制御対象に印加する補助制御工程とを備える。
【００２１】
このサーボ制御方法によれば、補助制御工程が、取れ残りエラー信号算出部によって求められた取れ残りエラー信号から適応フィルタ部により回転同期成分を抽出する。
【００２２】
本発明に係る光ディスク記録又は再生装置は、上記課題を解決するために、着脱自在なディスク状光記録媒体を装着する装着部と、上記装着部に装着したディスク状記録媒体を所定の回転数で回転させる回転駆動部と、所定のレンズを二軸駆動機構によって二軸方向に駆動しながら、上記回転駆動部によって回転される上記ディスク状記録媒体の情報記録面に光ビームを出射して情報信号を記録するか、又は上記情報記録面からの戻り光に応じた信号を出力して情報信号を再生する光学ヘッド部と、上記光学ヘッド部の所定のレンズの二軸駆動機構に加えられた外乱を観測信号から低減し、この観測信号に基づいて上記二軸駆動機構のサーボ機構を制御するサーボ制御部とを備え、上記サーボ制御部は、目標信号と上記観測信号とから取れ残りエラー信号を求める取れ残りエラー信号算出部と、上記取れ残りエラー信号算出部によって求められた取れ残りエラー信号に基づいて上記制御対象を主に制御する主制御部と、上記取れ残りエラー信号算出部によって求められた取れ残りエラー信号から適応フィルタ部を用いて回転同期成分を抽出し、上記主制御部と並行に、上記制御対象に印加する補助制御部を有する。
【００２３】
サーボ制御部の補助制御部が、取れ残りエラー信号算出部によって求められた取れ残りエラー信号から適応フィルタ部により回転同期成分を抽出する。
【発明の効果】
【００２４】
本発明に係るサーボ制御装置及びサーボ制御方法によれば、回転非同期信号も含むエラー信号から、適応線スペクトル強調器、又は適応線形予測器によるフィルタにより回転同期信号を抽出し、制御対象のサーボ制御に用いることができるので、精度の高いサーボ制御を行うことができる。また、上記フィルタは、適応的に、自動的に入力エラー信号に応じて設定することができる。また、これにより、人為的でないので、設計者に依存しない品質が一定のフィルタを設計することができる。また、上記フィルタ出力により、エラー取れ残り量から、回転同期成分を抽出し、主制御器とは別にフィードバックすることでエラー信号を抑制することができる。
【００２５】
本発明に係る光ディスク記録又は再生装置によれば、サーボ品質が一定であるサーボ制御を行って、情報信号をディスク状光記録媒体に対して記録又は再生することができる。
【発明を実施するための最良の形態】
【００２６】
以下、本発明を実施するための最良の形態を説明する。この実施の形態は、例えば光ディスク、光磁気ディスク等のディスク状光記録媒体（以下、代表して光ディスクと称する）に情報を記録する光ディスク記録装置や、光ディスクに記録されている情報を再生する光ディスク再生装置で用いられるサーボ制御装置である。このサーボ制御装置は、光学ヘッドの二軸アクチュエータのフォーカスサーボ系、トラッキングサーボ系、又はニアフィールドにおいて用いられる光学ヘッドの二軸アクチュエータのギャップサーボ系に適用される。
【００２７】
図１はサーボ制御装置１の構成図である。サーボ制御装置１には入力端子２から目標信号r(t)が与えられる。また、入力端子９から外乱信号d(t)が与えられる。出力端子１０からは観測信号y(t)が出力される。
【００２８】
目標信号r(t)は、光ディスク記録又は再生装置では一定値であり、一般にゼロである。外乱信号d(t)は、例えば、フォーカスサーボ系ならば面ぶれ、トラッキングサーボ系ならば偏芯に相当する。観測信号y(t)は、例えば、光ディスク記録装置のフォトディテクタで検出されたフォーカスエラー信号又はトラッキングエラー信号に相当する。
【００２９】
入力端子２から入力された目標信号r(t)は、減算器３に供給される。減算器３には、後述の加算器８から出力された観測信号y(t)も供給される。
【００３０】
主制御器（C(s)）５は、加算器６を介して制御対象(P(s)）７に接続している。制御対象(P(s)）７は、光ディスク記録／再生装置の場合、２軸アクチュエータに相当する。制御対象(P(s)）７の出力は加算器８に供給される。加算器８には外乱信号d(t)も供給されている。加算器８は、制御対象(P(s)）７の出力に外乱信号d(t)を加算して観測信号y(t)を出力端子１０から導出すると共に、観測信号y(t)を減算器３にフィードバックする。
【００３１】
減算器３は、目標信号r(t)から観測信号y(t)を減算し、（r(t)−y(t)）からなる取れ残りエラー信号e(t)を主制御器（C(s)）５に供給する。減算器３は、主制御器（C(s)）５と並列に接続された補助制御器４にも取れ残りエラー信号e(t)を供給する。
【００３２】
補助制御器４は、取れ残りエラー信号e(t)を抑制するために、適応フィルタ（FA(z)）１１を有し、この適応フィルタ（FA(z)）１１で取れ残りエラー信号e(t)から回転同期成分を抽出し、係数乗算器１２にて適当な係数を乗算したのち、この乗算出力を主制御器（C(s)）５と並行に、被制御対象(P(s)）７に、加算器６を介して印加している。
【００３３】
適応フィルタ（FA(z)）１１は、ディレイmに基づいて適応線スペクトル強調器（Adaptive Line Enhancer:ALE）又は適応線予測器として動作する。図２は適応フィルタ（FA(z)）１１の構成を示した図であるが、連続信号を離散化信号に変換する部分、離散化信号を連続信号に変換する部分については省略している。適応フィルタ（FA(z)）１１は、入力端子１５を介して供給される取れ残りエラー信号erpt(t)を遅延器（Z-m）１６により遅延してから適応フィルタ（Fadp(z)）１７でフィルタリングし、フィルタリング出力信号ea(n)として出力する。このフィルタリング出力信号は、減算器１８に供給される。減算器１８は、上記取れ残りエラー信号erpt(t)信号から上記フィルタリング出力信号を減算し、減算結果ε(n)を適応フィルタ（Fadp(z)）１７に供給する。これにより、減算器１８は、適応フィルタ（Fadp(z)）１７側から取れ残りエラー信号erpt(t)信号を遅延し適応フィルタによりフィルタリングした出力信号と、遅延させずまたフィルタリングもされない取れ残りエラー信号erpt(t)信号との相関部分を抜き出し、減算結果ε(n)として出力することになる。この減算結果であるエラー信号ε(n)を０とするように、適応フィルタ（Fadp(z)）１７は、遅延器（Z-m）１６の遅延出力である遅延エラー信号erpt(t)信号を適応的にフィルタリングし、フィルタ出力エラー信号ea(n)を出力端子１９から図１中の乗算器１２に出力する。
【００３４】
図２中の遅延器（Z-m）１６にあって、遅延mが１ならば、つまりm＝１であると適応フィルタ（Fadp(z)）１７は適応線形予測器として動作する。また、遅延mが１より大ならば、つまりm＞１であると適応フィルタ（Fadp(z)）１７は適応線スペクトル強調フィルタとして動作する。
【００３５】
以下、適応フィルタ（Fadp(z)）１７の設定について説明する。図３は遅延mに基づいて処理手順を異ならせる適応フィルタ（Fadp(z)）１７のフローチャートである。ステップＳ１にて遅延m＝１であるとき、ステップＳ２に進み、フィルタ出力エラー信号ea(n)とエラー信号erpt(t)信号との差である誤差信号ε(n)の２乗誤差を求める。そして、ステップＳ３にて誤差信号ε(n)の２乗誤差に基づいて適応フィルタ（Fadp(z)）１７を決定する。
【００３６】
また、ステップＳ１にて遅延m＞１であるとき、ステップＳ４に進み、erpt(n-m)信号とエラー信号erpt(n)信号との差である誤差信号ε(n)の２乗誤差を求める。そして、ステップＳ５にて誤差信号ε(n)の２乗誤差に基づいて適応フィルタ（Fadp(z)）１７を決定する。
【００３７】
図４は、遅延m＝１のときの適応フィルタ（Fadp(z)）１７の構成図である。入力端子１５から入力されたエラー信号erpt(n)信号は遅延器（Z-１）１６−１により遅延されてerpt(n-1)信号となる。このerpt(n-1)信号は、適応フィルタ（Fadp(z)）１７に供給される。適応フィルタ（Fadp(z)）１７のフィルタリング出力ea(n)はエラー信号erpt(n)信号から減算器１８により減算されて誤差信号ε(n)が適応フィルタ（Fadp(z)）１７に供給される。適応フィルタ（Fadp(z)）１７は、誤差信号ε(n)の２乗誤差が０となるように、適応線形予測器のFadp(z)を決定して、フィルタリング出力ea(n)を出力端子１９から図１中の係数乗算器１２に出力する。
【００３８】
この遅延m＝１のときの適応フィルタ（Fadp(z)）１７の各タップ係数をf(i)とすると、上記erpt(n)は下記の（１）式となる。
【００３９】
【数１】
2006313588.tif 000003
【００４０】
この（１）式によれば過去のerpt(t)から現在の信号e＾rpt(t)を推定していることになるので、適応フィルタ（Fadp(z)）１７は適応線形予測器と呼ばれいる。この構成では、上述したように、ea(n)とerpt(t)との２乗誤差が最小となるように適応フィルタ（Fadp(z)）１７が決定される。
【００４１】
適応フィルタ（Fadp(z)）１７のタップ数は有限であることから、結局ホワイトノイズ成分（下記（２）式のv(n)）は、予測できず、元の信号erpt(n)から上記ノイズ分がカットされた信号ea(n)を得ることができ、所望のローパスフィルタを得ることができる。
【００４２】
図５は、遅延m＝３のときの適応フィルタ（Fadp(z)）１７の構成図である。このとき遅延mは、遅延させない信号と遅延させた信号との相関がないように選ばれる。入力端子１５から入力されたエラー信号erpt(n)信号は遅延器（Z-３）１６−３により遅延されてerpt(n-3)信号となる。このerpt(n-3)信号は、適応フィルタ（Fadp(z)）１７に供給される。適応フィルタ（Fadp(z)）１７のフィルタリング出力ea(n-3)はエラー信号erpt(n)信号から減算器１８により減算されて誤差信号ε(n)が適応フィルタ（Fadp(z)）１７に供給される。
【００４３】
erpt(n)は、回転同期信号と回転非同期信号とからなり、次の（２）式のように表現される。
【００４４】
【数２】
2006313588.tif 000004
【００４５】
このようなノイズ（本例の場合、ホワイトノイズ成分v(n)）を含む周期信号から、ノイズを低減もしくは抑制して、周期信号成分を得るのが適応線スペクトル強調器である。
【００４６】
図５において、erpt(n-3)とerpt(n)の差ε(n)の２乗誤差が最小になるように、適応フィルタ（Fadp(z)）１７の各タップ係数が決定される。erpt(n-3)とerpt(n)とは、相関がないことから、結局、（２）式において相関のある回転同期信号成分を適応フィルタ（Fadp(z)）１７が出力することになり、v(n)は適応フィルタ（Fadp(z)）１７により阻止されることになる。この意味で、適応フィルタ（Fadp(z)）１７はm＞１のとき線スペクトル強調器と呼ばれ、所望のローパスフィルタを適応的に得ることから、適応線スペクトル強調器と呼ばれている。
【００４７】
次に、図１に示した、サーボ制御装置１を導きだすに至った原理を、いくつかの比較例と比較しながら説明する。
【００４８】
図６は、一般的な光ディスクのフォーカスサーボ、又はトラッキングサーボ機構のようなサーボ制御装置（比較例１）２０の構成図である。このサーボ制御装置２０は、図１に示したサーボ制御装置１から補助制御器４と加算器６とを除いた構成である。
【００４９】
サーボ制御装置２０には入力端子２から目標信号r(t)が与えられる。また、入力端子９から外乱信号d(t)が与えられる。出力端子１０からは観測信号y(t)が出力される。
【００５０】
入力端子２から入力された目標信号r(t)は、減算器３に供給される。減算器３には、加算器８から出力された観測信号y(t)も供給されており、フィードバック制御ループを構成している。したがって、減算器３は、目標信号r(t)から観測信号y(t)を以下の（３）式に示すように減算してエラー信号e(t)を出力する。
【００５１】
【数３】
2006313588.tif 000005
【００５２】
この（３）式にあって、目標信号r(t)をゼロとすると、r(t)=0であり、下記（４）式が得られる。
【００５３】
【数４】
2006313588.tif 000006
【００５４】
図６に示すフィードバック制御では、エラー信号e(t)=0となるように、制御器（C）５から制御量が制御対象（P）７に出力され、２軸アクチュエータのような制御対象（P）６を動作させ、外乱d(t)に追従させる。言い換えると、例えばフォトディテクタのような検出器によって検出された検出信号をフィードバックすることによって、検出信号中の外乱d(t)を抑制するようにサーボを掛けて、エラー信号e(t)が０になるように制御する。エラー信号e(t)は、動作誤差に相当し、エラー信号e(t)を減算器３にフィードバックさせることで、理論的にはe(t)=0となる。
【００５５】
しかしながら、安定性を確保するためのサーボ帯域の制限から、完全にエラー信号e(t)=0とすることは、実際には難しく、何らかの取れ残りが生じる。光ディスク記録／再生装置を例とすると、例えばフォーカスサーボの場合では、焦点深度内に入っていれば、フォーカスずれの影響はないので、取れ残り許容量は焦点深度以下と規定される。例えば、ＣＤでは±1.9μm、ＤＶＤでは±0.9μm程度である。また、トラッキングサーボの場合は、ＲＦ信号処理にも依存する。例えば、トラックピッチの±3-4％程度である。
【００５６】
一方で、光ディスク記録／再生装置では、転送レートの向上を目指し、高速回転の要求が高まっている。この場合、高速回転に応じて、サーボ帯域を向上させることにより、取れ残りを許容量以下にすることができる場合がある。しかし、アクチュエータの特性（２次共振等）の制約により、サーボ帯域を上げられない場合もある。
【００５７】
この場合、エラー信号は取れ残り量が増え、例えば図７に示すようになり、フォーカスエラー、トラッキングエラーの許容誤差を超えてしまう。図７は目標信号r(t)に対する観測信号y(t)の差として求めたエラー信号e(t)の時間（sec）に対する振幅レベル変化を示している。目標値r(t)に対するエラー信号の取れ残り量の変動が大きいのが明らかである。
【００５８】
光ディスク記録／再生装置の場合は、光ディスクを回転させる回転システムであることから、一般に、取れ残りエラー信号は、回転同期成分と回転非同期成分やノイズ成分からなる。つまり、次の（５）式のようにである。
【００５９】
【数５】
2006313588.tif 000007
【００６０】
この（５）式において、eｓ(t)は、回転同期信号で、n(t)は、それ以外の信号、つまり、回転非同期信号やノイズ信号である。
【００６１】
上記の取れ残りエラーe(t)を抑制するには、（５）式において、es(t)を抽出して、主制御器（C(s)）５と並列に被制御対象（P(s)）７に印加すればよい。しかしながら、（５）式において、es(t)を抽出する際のフィルタの設定を自動的に行うことは、上記課題でも触れたように未だ考えられておらず、人為的に試行錯誤にて設定していた。
【００６２】
以上に説明したような現状から、上記es(t)を抽出する際のフィルタの設定を自動的に、エラー信号に適応して設計するために、図１に示したサーボ制御装置１を具体例とする本発明を導き出したわけである。
【００６３】
次に、図１〜図５を参照して上述したサーボ制御装置１の中の適応フィルタ（Fadp(z)）１７の具体例について図８〜図１０を用いて説明する。
【００６４】
図８は、m＞１の場合に適応フィルタ（Fadp(z)）１７として用いることのできるFIRフィルタの具体例を示す図である。FIRフィルタは、位相特性に直線位相特性を持つことができる。また、安定性を保証することができる。
【００６５】
入力端子１５から供給されたエラー信号erpt(n)信号は遅延器（z-m）１６０１によってm>1だけ遅延されてから遅延器（z-1）１６０２及び係数ｈ０の乗算器１７０１に供給される。遅延器（z-1）１６０２はmだけ遅延されたエラー信号erpt(n)信号をさらに遅延（-1)してから遅延器（z-1）１６０３及び係数ｈ１の乗算器１７０２に供給する。遅延器（z-1）１６０３は遅延器（z-1）１６０２の遅延出力をさらに遅延（-1)してから次段に接続された遅延器（z-1）及び係数ｈ２の乗算器１７０３に供給する。この後、破線で省略した後段の遅延器（z-1）によって遅延された出力は最終段に接続された遅延器（z-1）１６０４及び係数ｈMの乗算器１７０４に供給される。
【００６６】
乗算器１７０１、乗算器１７０２、乗算器１７０３・・・乗算器１７０４は、遅延器（z-m）１６０１、遅延器（z-1）１６０２ 、遅延器（z-1）１６０３ ・・・遅延器（z-1）１６０４によって遅延された各出力に係数修正アルゴリズム実行部１７０８によって実行される係数修正アルゴリズムに従って修正された係数ｈ０、係数ｈ１ 、係数ｈ２ ・・・係数ｈMを乗算する。
【００６７】
乗算器１７０１、乗算器１７０２、乗算器１７０３・・・乗算器１７０４の各乗算出力は、加算器１７０５、加算器１７０６・・・加算器１７０７によって加算され、エラー信号ea(n)として出力されるとともに減算器１８に供給される。減算器１８は遅延させずまたフィルタリングもされないエラー信号erpt(n)信号からエラー信号ea(n)を減算したε(n)を係数修正アルゴリズム１７０８に供給する。
【００６８】
係数修正アルゴリズム１７０８ は、上記ε(n)の例えば２乗誤差が最小となるように乗算器１７０１、乗算器１７０２、乗算器１７０３・・・乗算器１７０４の係数ｈ０、係数ｈ１ 、係数ｈ２ ・・・係数ｈMを修正する。つまり、適応フィルタ（Fadp(z)）１７は、乗算器１７０１、乗算器１７０２、乗算器１７０３・・・乗算器１７０４の係数ｈ０、係数ｈ１ 、係数ｈ２ ・・・係数ｈMを自動的に修正しながら決定することができる。そして、乗算器１７０１、乗算器１７０２、乗算器１７０３・・・乗算器１７０４は、自動的に修正された係数ｈ０、係数ｈ１ 、係数ｈ２ ・・・係数ｈMを用いて元の信号erpt(n)からホワイトノイズ分がカットされた信号ea(n)を得て出力端子１９から出力できる。
【００６９】
このように図８に示したFIRフィルタは、直線位相特性を持ち、さらに安定性が保証された上で、乗算器１７０１、乗算器１７０２、乗算器１７０３・・・乗算器１７０４の係数ｈ０、係数ｈ１ 、係数ｈ２ ・・・係数ｈMを自動的に修正しながら決定して、上記信号ea(n)を出力端子１９から出力できる。
【００７０】
また、FIR型フィルタと異なり直線位相特性や安定性は保証されないものの、FIRと比べて低次数にて同等の周波数ゲイン特性を得られるものとしてIIR型も考えられる。IIR型の場合でも、次数を抑えて実現することも可能である。
【００７１】
図９には、m＞１の場合に適応フィルタ（Fadp(z)）１７として用いることのできるバイクワッド直接Ｉ型のIIR型フィルタを示す。入力端子１５から供給されたエラー信号erpt(n)信号は遅延器（z-m）１６０５によってm>1だけ遅延されてから、遅延器（z-m）１６０５と並列に接続された遅延器（z-1）１６０６及び係数ａ０の乗算器１７０９に供給される。遅延器（z-1）１６０６ は、mだけ遅延されたエラー信号erpt(n)信号をさらに遅延（-1)してから遅延器（z-1）１６０７及び係数ａ１の乗算器１７１０に供給する。遅延器（z-1）１６０７は遅延器（z-1）１６０６の遅延出力をさらに遅延（-1)してから次段に接続された遅延器（z-1）及び係数ａ２の乗算器１７１１に供給する。この後、破線で省略した後段の遅延器（z-1）によって遅延された出力は遅延器（z-1）１６０８及び係数ａMの乗算器１７１２に供給される。
【００７２】
乗算器１７０９、乗算器１７１０、乗算器１７１１・・・乗算器１７１２は、遅延器（z-m）１６０５、遅延器（z-1）１６０６ 、遅延器（z-1）１６０７ ・・・遅延器（z-1）１６０８によって遅延された各出力に係数修正アルゴリズム実行部１７１６によって実行される係数修正アルゴリズムに従って修正された係数ａ０、係数ａ１ 、係数ａ２ ・・・係数ａMを乗算する。
【００７３】
乗算器１７０９、乗算器１７１０、乗算器１７１１・・・乗算器１７１２の各乗算出力は加算器１７１７に供給される。
【００７４】
この加算器１７１７の加算出力となるエラー信号ea(n)は、並列に接続された遅延器（z-1）１６０９に供給される。遅延器（z-1）１６０９ は、遅延されたエラー信号ea(n)をさらに遅延（-1)してから遅延器（z-1）１６１０及び係数ｂ０の乗算器１７１３に供給する。遅延器（z-1）１６１０は遅延器（z-1）１６０９の遅延出力をさらに遅延（-1)してから次段に接続された遅延器（z-1）及び係数ｂ１の乗算器１７１４に供給する。この後、破線で省略した後段の遅延器（z-1）によって遅延された出力は遅延器（z-1）１６１１及び係数ｂMの乗算器１７１５に供給される。
【００７５】
乗算器１７１３、乗算器１７１４、・・・乗算器１７１５は、遅延器（z-m）１６０９、遅延器（z-1）１６１０ 、 ・・・遅延器（z-1）１６１１によって遅延された各出力に対して係数修正アルゴリズム実行部１７１６によって実行される係数修正アルゴリズムに従って修正された係数ｂ０、係数ｂ１ ・・・係数ｂMを乗算する。乗算器１７１３、乗算器１７１４、・・・乗算器１７１５の乗算出力は加算器１７１７に戻される。
【００７６】
加算器１７１７は、加算出力をエラー信号ea(n)として出力するとともに減算器１８に供給する。減算器１８は遅延させずまたフィルタリングもされないエラー信号erpt(n)信号からエラー信号ea(n)を減算したε(n)を係数修正アルゴリズム１７１６に供給する。
【００７７】
係数修正アルゴリズム１７１６ は、上記ε(n)の例えば２乗誤差が最小となるように乗算器１７０９、乗算器１７１０、乗算器１７１１・・・乗算器１７１２の係数ａ０、係数ａ１ 、係数ａ２ ・・・係数ａMを修正する。また、乗算器１７１３、乗算器１７１４、・・・乗算器１７１５の係数ｂ０、係数ｂ１ ・・・係数ｂMを修正する。つまり、適応フィルタ（Fadp(z)）１７は、乗算器１７０９、乗算器１７１０、乗算器１７１１・・・乗算器１７１２の係数ａ０、係数ａ１ 、係数ａ２ ・・・係数ａM、乗算器１７１３、乗算器１７１４、・・・乗算器１７１５の係数ｂ０、係数ｂ１ ・・・係数ｂMを自動的に修正しながら決定することができる。そして、乗算器１７０９、乗算器１７１０、乗算器１７１１・・・乗算器１７１２と、乗算器１７１３、乗算器１７１４、・・・乗算器１７１５は自動的に修正された係数ａ０、係数ａ１ 、係数ａ２ ・・・係数ａM、係数ｂ０、係数ｂ１ ・・・係数ｂMを用いて元の信号erpt(n)からホワイトノイズ分がカットされた信号ea(n)を得て出力端子１９から出力できる。
【００７８】
このように図９に示したIIRフィルタは、FIR型フィルタとは異なり直線位相特性や安定性は保証されないものの、位相遅れがなければ、FIRと比べて低次数にて同等の周波数ゲイン特性を得ることができる。
【００７９】
次に、図１０には、m＞１の場合に適応フィルタ（Fadp(z)）１７として用いることのできるバイクワッド直接II型のIIR型フィルタを示す。入力端子１５から供給されたエラー信号erpt(n)信号は遅延器（z-m）１６１２によってm>1だけ遅延されてから加算器１７１８に供給される。加算器１７１８の加算出力は加算器１７１８と並列に接続された遅延器（z-1）１６１３及び係数ａ０の乗算器１７２２に供給される。遅延器（z-1）１６１３ は、mだけ遅延されたエラー信号erpt(n)信号をさらに遅延（-1)してから遅延器（z-1）１６１４、係数ｂ１の乗算器１７１９及び係数ａ１の乗算器１７２３に供給する。遅延器（z-1）１６１４は、遅延器（z-1）１６１３による遅延出力をさらに遅延（-1)してから次段に接続された遅延器（z-1）、係数ｂ２の乗算器１７２０及び係数ａ２の乗算器１７２４に供給する。この後、破線で省略した後段の遅延器（z-1）によって遅延された出力は遅延器（z-1）１６１５ 、係数ｂMの乗算器１７２１及び係数ａMの乗算器１７２５に供給する。
【００８０】
乗算器１７１９、乗算器１７２０・・・乗算器１７２１は、遅延器（z-１）１６１５、遅延器（z-1）１６１４ ・・・遅延器（z-1）１６１５によって遅延された各出力に係数修正アルゴリズム実行部１７２６によって実行される係数修正アルゴリズムに従って修正された係数ｂ１、係数ｂ２ ・・・係数ｂMを乗算する。また、乗算器１７２２、乗算器１７２３、乗算器１７２４・・・乗算器１７２５は、加算器１７１８を介した遅延器（z-m）１６１２、遅延器（z-1）１６１３ 、遅延器（z-1）１６１４ ・・・遅延器（z-1）１６１５によって遅延された各出力に係数修正アルゴリズム実行部１７２６によって実行される係数修正アルゴリズムに従って修正された係数ａ０、係数ａ１ 、係数ａ２ ・・・係数ａMを乗算する。
【００８１】
乗算器１７１９、乗算器１７２０・・・乗算器１７２１の各乗算出力は加算器１７１８に供給される。また、乗算器１７２２、乗算器１７２３、乗算器１７２４・・・乗算器１７２５の各乗算出力は加算器１７２７に供給される。
【００８２】
加算器１７２７の加算出力となるエラー信号ea(n)は、出力端子１９に供給されると共に減算器１８に供給される。減算器１８は遅延させずまたフィルタリングもされないエラー信号erpt(n)信号からエラー信号ea(n)を減算したε(n)を係数修正アルゴリズム１７２６に供給する。
【００８３】
係数修正アルゴリズム１７２６は、上記ε(n)の例えば２乗誤差が最小となるように乗算器１７１９、乗算器１７２０・・・乗算器１７２１の係数ｂ１ 、係数ｂ２ ・・・係数ｂMを修正する。また、乗算器１７２２、乗算器１７２３、乗算器１７２４・・・乗算器１７２５の係数ａ０、係数ａ１、係数ａ２ ・・・係数ａMを修正する。つまり、適応フィルタ（Fadp(z)）１７は、乗算器１７１９、乗算器１７２０・・・乗算器１７２１の係数ｂ１ 、係数ｂ２ ・・・係数ｂM、乗算器１７２２、乗算器１７２３、乗算器１７２４・・・乗算器１７２５の係数ａ０、係数ａ１、係数ａ２ ・・・係数ａMを自動的に修正しながら決定することができる。そして、乗算器１７１９、乗算器１７２０・・・乗算器１７２１と乗算器１７２２、乗算器１７２３、乗算器１７２４・・・乗算器１７２５は自動的に修正された係数ｂ１ 、係数ｂ２・・・係数ｂMと、係数ａ０、係数ａ１ 、係数ａ２ ・・・係数ａMを用いて元の信号erpt(n)からホワイトノイズ分がカットされた信号ea(n)を得て出力端子１９から出力できる。
【００８４】
このように図１０に示したバイクワッド直接II型のIIRフィルタでも、FIR型フィルタとは異なり直線位相特性や安定性は保証されないものの、位相遅れがなければ、FIRと比べて低次数にて同等の周波数ゲイン特性を得ることができる。また、図９に示したバイクワッド直接I型のIIRフィルタに比して遅延器の数を半分にすることができる。
【００８５】
上記図８、図９及び図１０に構成を示した各フィルタにあって各係数は、実際の信号erpt(n)とフィルタ出力ea(n)との誤差ε(n)の２乗平均誤差が最小になるように各係数修正アルゴリズム実行部１７０８、１７１６、１７２６で実行される係数修正アルゴリズムにより決定される。誤差ε(n)の２乗平均誤差を最小値とするのを実現するための適応アルゴリズムとしては、周知の最小2乗アルゴリズムに基づくRLS(Recursive Least squares)アルゴリズムや、逐次修正アルゴリズムに基づくLMSアルゴリズムが用いられる。
【００８６】
例えば、LMSアルゴリズムでは、上記図８、図９及び図１０に構成を示した各フィルタ毎に、次の（６）〜（８）式により各係数が決定される。
【００８７】
図８のFIR型フィルタの場合は（６）式により係数が決定される。
【００８８】
【数６】
2006313588.tif 000008
【００８９】
図９、図１０のIIRフィルタの場合の係数ａｋと係数ｂｋは（７）式、（８）式により決定される。
【００９０】
【数７】
2006313588.tif 000009
【００９１】
【数８】
2006313588.tif 000010
【００９２】
なお、上記（６）式、（７）式、（８）式において、μは係数の収束速度を決めるパラメータである。
【００９３】
次に、図１１には、図８に示したFIRフィルタによる適応線スペクトル強調器を用いて、適応させた場合のフィルタ（Fadp(s)）１７の周波数に対するゲインの大きさの変化と、位相の変化特性を示す。図１１に示すように、得られたフィルタの周波数特性は、カットオフ周波数を１０３Hｚ付近とするローパスフィルタとなっていることがわかる。また、FIR型であることから直線位相特性を示していることもわかる。
【００９４】
また、図１２には、本実施の形態による効果の例を示す。図１２(a)は、回転非同期信号を含むフォーカスエラー原信号である。図１２(b)は、本発明によるALEを用いた適応フィルタを通した後のフォーカスエラー信号である。図１２(c)は、図１２(a)と図１２(b)の差分信号であり、回転非同期成分である。
【００９５】
本発明によるALEを用いた適応フィルタにより、自動的に、適応的にデジタルフィルタが設計され、結果的に図１１に示した特性のローパスフィルタが得られ、また、その結果、回転非同期成分が低減された信号（図１２(c)）が得られていることがわかる。なお、図１２において、0〜0.02secまでは、適応フィルタが定常な出力を行うまでの過渡現象である。過渡現象の時間は、（６）〜（８）式で示す係数の収束速度を決めるパラメータμで決まる。図１２に示す例では、過渡現象期間は１周期である。
【００９６】
図１３には、本発明を用いない場合と、用いる場合のボード線図を示す。図１３より、本発明の補助制御器４により、20Hz〜2kHzの成分が平均して約5dB程度改善し、かつ安定性は損なわれていないことが確認できる。
【００９７】
図１４には、本発明を用いない場合と、用いる場合のボード線図のエラー信号を示す。図１４より、エラー振幅が２０％程度改善していることがわかる。
【００９８】
なお、図１５に示すように、図１２に示す適応の過渡期間を過ぎて、適応フィルター出力が安定してから適応フィルター出力をフィードバックしても構わない。
【００９９】
この図１５に示す他の実施の形態のサーボ制御装置１’は、図１に示したサーボ制御装置１の補助制御器４に代えて、補助制御器４’を主制御器５に対して並列になるように組み込んだ構成である。この補助制御器４’は、係数乗算器１２と加算器６との間にスイッチ３０を設けている。
【０１００】
このサーボ制御装置１’は、上記取れ残りエラー信号が定常状態になり、適応フィルタ出力が安定した状態で抽出した回転同期成分を、加算器６を介して、主制御器５に並行に制御対象７に印加するため、スイッチ３０を備えている。つまり、スイッチ３０は、上記取れ残りエラー信号が定常状態になり、適応フィルタ出力が安定した時点で、オンとなり、加算器６に上記適応フィルタ出力を供給する。
【０１０１】
このような構成にすることにより、図１５に示したサーボ制御装置１’は、過度現象の影響を受けることなく、回転同期成分を抽出することができ、よってさらに高精度にサーボ制御を行うことができる。
【０１０２】
以上に説明したように、本発明の実施の形態によれば、回転非同期信号も含むエラー信号から、適応線スペクト強調器又は適応線形予測器によるフィルタにより回転同期信号を抽出することができる。そして、この抽出信号を制御対象７に対して、主制御器５に並行に供給することにより、取れ残りエラー信号の低域成分を用いて、低域ゲインを大きくし、サーボの取れ残り量を改善している。また、上記フィルタは、適応的に、自動的に入力エラー信号に応じて設定することができる。また、これにより、人為的ではないので、設計者に依存しない、一定品質のフィルタを設計することができる。また、上記フィルター出力を、主制御部５に並行して、制御対象７に供給するので、エラー信号の回転同期成分を抑制した、サーボ制御を行うことができる。
【０１０３】
また、本発明の他の実施の形態によれば、さらに上記補助制御出力を、主制御器５に並行に、制御対象７に印加する際に、適応フィルタ出力が定常状態になってから行うことで、過渡応答の影響をなくすことができる。
【０１０４】
次に、上記サーボ制御装置１をニアフィールドにおいて用いられる光学ヘッドの二軸アクチュエータ（上記図１等に示した制御対象(P(s)）７の具体例）のギャップサーボを制御する制御システムに適用した光ディスク記録装置について説明する。図１６に示す光ディスク記録装置５０は、着脱自在とされたディスク状記録媒体（以下、光ディスクという）４０を図示しない装着部に装着し、装着した光ディスク４０に、ニアフィールド（近接場）において検出されるエバネセント光を照射して情報を記録する。
【０１０５】
光ディスク記録装置５０は、光ディスク４０に記録する情報を供給する情報源５１と、ＡＰＣ（Auto Power Controller）５２と、レーザダイオード（ＬＤ）５３と、コリメータレンズ５４と、ビームスプリッタ（ＢＳ）５５と、ミラー５６と、光ヘッド５７と、集光レンズ６８と、フォトデイテクタ（ＰＤ）６２と、スピンドルモータ６４と、送り台６５と、送りモータ６６と、ポテンションメータ６７と、制御システム（図１に示したサーボ制御装置１の適用対象）６３とを備えている。
【０１０６】
ＡＰＣ２は、記録時において、情報源５１から供給される情報に応じて後段に備えられたレーザダイオード５３から出射されるレーザ光を変調させるように制御する。
【０１０７】
レーザダイオード５３は、ＡＰＣ５２からの制御に応じて、所定の波長のレーザ光を出射する。例えば、レーザダイオード５３は、赤色半導体レーザ、青紫色半導体レーザなどである。
【０１０８】
コリメータレンズ５４は、レーザダイオード５３から出射されたレーザ光を光軸に平行な光ビームとして出射する。
【０１０９】
ビームスプリッタ５５は、コリメータレンズ５４から出射された光ビームを透過してミラー５６に出射する。また、ビームスプリッタ５５は、ミラー５６で反射された光ヘッド５７からの戻り光を反射して集光レンズ６８に出射する。
【０１１０】
ミラー５６は、ビームスプリッタ５５から出射された光ビームを反射して、光ヘッド５７へ出射する。また、ミラー５６は、光ヘッド５７からの戻り光を反射してビームスプリッタ５５に出射する。
【０１１１】
光ヘッド５７は、ミラー５６から出射された光ビームを集束させ、光ディスク４０の情報記録面に照射する。光ヘッド５７が情報記録面に照射する光は、レンズの回折限界以上のスポットサイズで、情報の記録又は再生が可能なエバネセント光である。
【０１１２】
図１７に示すように、光ヘッド５７は、対物レンズ５８と、ＳＩＬ（Solid Immersion Lens）５９と、レンズフォルダ６０と、アクチュエータ６１とを備えている。
【０１１３】
対物レンズ５８は、レーザダイオード５３から出射され、コリメータレンズ５４、ビームスプリッタ５５、ミラー５６を介して入射された光ビームを集束してＳＩＬ５９に供給する。
【０１１４】
ＳＩＬ５９は、球形レンズの一部を平面にして切り取った形状をした高屈折率のレンズである。ＳＩＬ５９は、対物レンズ５８を透過して集光された光ビームを、球面側から入射し、球面と反対側の面（端面）の中央部に集光させる。
【０１１５】
また、ＳＩＬ５９に代えて、反射ミラーが形成され、ＳＩＬ５９と同等の機能を有するＳＩＭ（Solid Immersion Mirror）を用いてもよい。
【０１１６】
レンズフォルダ６０は、対物レンズ５８とＳＩＬ５９とを所定の位置関係で一体に保持している。ＳＩＬ５９は、レンズフォルダ６０によって、球面側が対物レンズ５８と対向するように、また、球面と反対側の面（端面）が光ディスク４０の情報記録面と対向するように保持される。
【０１１７】
このように、レンズフォルダ６０を用いて、対物レンズ５８と光ディスク４０の情報記録面との間に高屈折率のＳＩＬ５９を配置することで、対物レンズ５８のみの開口数よりも大きな開口数を得ることができる。一般に、レンズから照射される光ビームのスポットサイズは、レンズの開口数に反比例することから、対物レンズ５８、ＳＩＬ５９によって、より一層、微小なスポットサイズの光ビームとすることができる。
【０１１８】
アクチュエータ６１は、制御システム６３から制御信号として出力される制御電流に応じてフォーカス方向及び／又はトラッキング方向にレンズフォルダ６０を駆動変位する。
【０１１９】
光ヘッド５７において、エバネセント光は、ＳＩＬ５９の端面に臨界角以上の角度で入射され全反射した光ビームの反射境界面から滲みだした光である。ＳＩＬ５９の端面が、光ディスク４０の情報記録面から、後述するニアフィールド（近接場）内にある場合に、ＳＩＬ５９の端面より滲み出したエバネセント光は、情報記録面に照射されることになる。
【０１２０】
続いて、ニアフィールドについて説明をする。一般に、ニアフィールドは、レンズに入射される光の波長をλとすると、上記レンズの光ビーム出射面からの距離ｄが、ｄ≦λ／２までの領域である。
【０１２１】
図１７に示す、光ヘッド５７と、光ディスク４０とで考えると、光ヘッド５７が備えるＳＩＬ５９の端面から、光ディスク４０の情報記録面までの距離（ギャップ）ｄが、ＳＩＬ５９に入射された光ビームの波長λによってｄ≦λ／２と定義される領域がニアフィールドである。光ディスク４０の情報記録面と、ＳＩＬ５９の端面との距離で定義されるギャップｄが、ｄ≦λ／２を満たし、ＳＩＬ５９の端面からエバネセント光が光ディスク４０の情報記録面に滲み出す状態をニアフィールド状態といい、ギャップｄが、ｄ＞λ／２を満たし、上記情報記録面にエバネセント光が滲み出さない状態をファーフィールド状態という。
【０１２２】
ところで、ファーフィールド状態である場合、ＳＩＬ５９の端面に臨界角以上の角度で入射された光ビームは、全て、全反射されて戻り光となる。したがって、図１８に示すようにファーフィールド状態での全反射戻り光量は、一定値となっている。
【０１２３】
一方、ニアフィールド状態である場合、ＳＩＬ５９の端面に臨界角以上の角度で入射された光ビームの一部は、上述したように、ＳＩＬ５９の端面つまり反射境界面において、エバネセント光として光ディスク４０の情報記録面に滲み出す。したがって、図１８に示すように全反射された光ビームの全反射戻り光量は、ファーフィールド状態のときより減少することになる。図１８に示すように、ニアフィールド状態における全反射戻り光量は、光ディスク４０の情報記録面に近づく程、指数関数的に減少していることが分かる。
【０１２４】
したがって、ＳＩＬ５９の端面の位置がニアフィールド状態にあるときは、全反射戻り光量がギャップ長に応じて変化するリニアな部分をギャップエラー信号としてサーボ制御を行えば、ＳＩＬ５９の端面と、光ディスク４０の情報記録面とのギャップを一定に制御することが可能となる。例えば、図１８に示すように全反射戻り光量が制御目標値Ｐになるように制御を行えば、ギャップはｄの距離に一定に保持されることになる。
【０１２５】
再び、図１６に示す光ディスク記録装置５０の構成について説明をする。集光レンズ６８は、光ヘッド５７が備えるＳＩＬ５９の端面で全反射され、ミラー５６で反射され、ビームスブリッタ５５で反射された戻り光をフォトデイテクタ６２に集光する。
【０１２６】
フォトデイテクタ６２は、集光レンズ６８によって集光された戻り光の光量を電流値として検出する。なお、フォトデイテクタ６２で検出された電流値は、既にＤＣ化されており、全反射戻り光量電圧値として制御システム６３に供給される。
【０１２７】
スピンドルモータ６４には、当該スピンドルモータ６４が一回転する間に一定数のＦＧ信号と呼ばれるパルス信号を発生する図示しないエンコーダが備えられている。この図示しないエンコーダから発生されるＦＧ信号をカウントすることで、光ヘッド５７から光ディスク４０に照射されている光ビームが、現在、光ディスク４０の情報記録面の円周方向のどの位置を照射しているかが分かる。
【０１２８】
このスピンドルモータ６４に備えられた、図示しないエンコーダから出力されるＦＧ信号を、光ヘッド５７が光ディスク４０の円周方向のどの位置にあるかを示す情報とする。図示しない上記エンコーダから出力されるＦＧ信号は、制御システム６３に供給される。
【０１２９】
送り台６５は、回転駆動系であるスピンドルモータ６４を搭載し、図示しない装着部に装着された光ディスク４０を半径方向に移動させる台である。送り台６５は、送りモータ６６によって光ディスク４０の半径方向へ移動する。送りモータ６６によって、送り台６５を動作させることで、光ディスク４０のトラック間移動を行うことができる。
【０１３０】
ポテンションメータ６７は、上記送りモータ６６に取り付けられており、送りモータ６６の回転角度を検出することで、上記送り台６５がどれだけ移動したかが分かる。送り台６５の移動量は、相対的に、光ヘッド５７の光ディスク４０の半径方向に対する移動量と同じである。したがって、ポテンションメータ６７による検出量から、光ヘッド５７が光ディスク４０の半径方向のどの位置にあるかが分かる。
【０１３１】
このポテンションメータ６７から取得される検出値を光ヘッド５７が光ディスク４０の半径方向のどの位置にあるかを示す半径位置情報とする。ポテンションメータ６７から出力される半径位置情報は、制御システム６３に供給される。
【０１３２】
制御システム６３は、サーボ制御装置１を内蔵しており、光ディスク４０の情報記録面と光学ヘッド５７が備えるＳＩＬ５９との距離であるギャップを制御する。
【０１３３】
光ディスク記録装置５０において用いる光ディスク４０は、当該記録装置５０に着脱自在な記録媒体である。したがって、装置内のディスク回転駆動機構に予め固定された記録媒体などに比較し、ディスク回転駆動機構に対する装着精度を高精度に維持できない。そのため、ディスク回転駆動機構に装着して回転駆動したとき、面ぶれの発生を抑えることが困難である。
【０１３４】
そこで、サーボ制御装置１を内蔵している制御システム６３は、主に、この面ぶれに起因する外乱に光学ヘッド５７を追従するように二軸アクチュエータの制御量を決定して、ギャップサーボを行う。サーボ制御装置１は、上述したように、補助制御器４を主制御器５に対して並列になるように組み込み、内部の適応フィルタ部を適応線スペクトル強調器、又は適応線形予測器として動作させ、サーボエラー信号から非回転同期成分を低減したエラー信号（主に回転同期信号からなる）を抽出し、この抽出した信号を制御対象７に対して、主制御器５に並行に供給することにより、取れ残りエラー信号の低域成分を用いて、低域ゲインを大きくし、サーボの取れ残り量を改善している。また、上記フィルタは、適応的に、自動的に入力エラー信号に応じて設定することができる。また、これにより、人為的ではないので、設計者に依存しない、一定品質のフィルタを設計することができる。また、上記フィルター出力を、主制御部５に並行して、制御対象７に供給するので、エラー信号の回転同期成分を抑制した、サーボ制御を行うことができる。
【０１３５】
したがって、光ディスク記録装置５０は、サーボの品質を一定としたギャップサーボを実現することができる。もちろん、制御システム６３は、サーボ制御装置１の代わりに、図１５に示した他の実施の形態のサーボ制御装置を内蔵してもよい。この場合、光ディスク記録装置５０は、過渡現象の影響を受けることがなく、迅速にギャップサーボを行うことができる。
【図面の簡単な説明】
【０１３６】
【図１】本発明の実施の形態となるサーボ制御装置の構成図である。
【図２】適応フィルタの構成図である。
【図３】適応フィルタの処理手順を示すフローチャートである。
【図４】遅延m＝１のときの適応フィルタの構成図である。
【図５】遅延m＝３のときの適応フィルタの構成図である。
【図６】比較例１のサーボ制御装置の構成図である。
【図７】目標信号r(t)に対する観測信号y(t)の差として求めたエラー信号e(t)の時間（sec）に対する振幅レベル変化を示す特性図である。
【図８】m＞１の場合に適応フィルタ（Fadp(z)）して用いることのできるFIRフィルタの具体例を示す構成図である。
【図９】m＞１の場合に適応フィルタ（Fadp(z)）して用いることのできるバイクワッド直接I型のIIR型フィルタの具体例を示す構成図である。
【図１０】m＞１の場合に適応フィルタ（Fadp(z)）して用いることのできるバイクワッド直接II型のIIR型フィルタの具体例を示す構成図である。
【図１１】FIRフィルタによる適応線スペクトル強調器を用いて、適応させた場合のフィルタ（Fadp(s)）の周波数に対するゲインの大きさの変化と、位相の変化を示す特性図である。
【図１２】本実施の形態による効果の例を示す特性図である。
【図１３】(a)は比較例１のサーボ制御装置によるフォーカスエラー信号例を示す特性図である。（b）は上記フォーカスエラー信号（a）のFFT解析結果を示す特性図である。
【図１４】(a)は従来のように試行錯誤で設定したフィルタを用いた場合のフォーカスエラー信号を示す特性図である。(b)は本実施の形態のサーボ制御装置によるフォーカスエラー信号を示す特性図である。
【図１５】本発明の他の実施の形態のサーボ制御装置の構成を示す特性図である。
【図１６】光ディスク記録装置の構成図である。
【図１７】光ヘッドの詳細な構成図である。
【図１８】ニアフィールド状態における全反射戻り光量のギャップに対する特性図である。
【符号の説明】
【０１３７】
１  サーボ制御装置、３  減算器、４  補助制御器、５  主制御器（C(s)）、６  加算器、７  制御対象(P(s)）、１１  適応フィルタ（FA(z)）、１７  適応フィルタ（Fadp(z)）、１８  減算器
【図１】
2006313588.tif 000011
【図２】
2006313588.tif 000012
【図３】
2006313588.tif 000013
【図４】
2006313588.tif 000014
【図５】
2006313588.tif 000015
【図６】
2006313588.tif 000016
【図７】
2006313588.tif 000017
【図８】
2006313588.tif 000018
【図９】
2006313588.tif 000019
【図１０】
2006313588.tif 000020
【図１１】
2006313588.tif 000021
【図１２】
2006313588.tif 000022
【図１３】
2006313588.tif 000023
【図１４】
2006313588.tif 000024
【図１５】
2006313588.tif 000025
【図１６】
2006313588.tif 000026
【図１７】
2006313588.tif 000027
【図１８】
2006313588.tif 000028